(57)【要約】【課題】従来、酸素を浴室に供給して、快適な入浴を楽しもうとした場合、酸素富化装置で発生する騒音が浴室内へ伝搬するという課題を有していた。【解決手段】ポンプ１５により浴槽１２の湯が循環するジェットバス装置１０の循環回路１４に、浴室１１外に設けた酸素富化装置２１からの高濃度酸素を消音装置２１を介してエゼクタ１９の循環回路１２へ混入させ浴槽１２内へ噴出させる構成とすることで、静音化した酸素富化空気が浴槽１２内へ供給されるため快適な気泡入浴が楽しめる。【選択図】図１
2005143955.tif 000002
【特許請求の範囲】
【請求項１】
ジェットバス装置のポンプにより浴槽の湯が循環する循環回路と、前記浴槽に設けた吹き出しノズルと、前記ジェットバス装置内部で高濃度の酸素を供給する酸素富化装置と、前記酸素富化装置と前記吹き出しノズルとの間に設けた消音装置と酸素配管と、高濃度の酸素を前記吹き出しノズル内部の前記循環回路から前記浴槽内へ噴出させる構成とした酸素富化ジェットバス装置。
【請求項２】
ジェットバス装置内に設けた消音装置が吸音材による吸音効果を利用した消音構成となる請求項１記載の酸素富化ジェットバス装置。
【請求項３】
ジェットバス装置内に設けた消音装置が共鳴箱によるヘルムホルツ共鳴を利用した消音構成となる請求項１記載の酸素富化ジェットバス装置。
【請求項４】
共鳴箱が酸素配管の分岐部から分岐した構成となる請求項３記載の酸素富化ジェットバス装置。
【請求項５】
共鳴箱の外周部内面に吸音材を設けた請求項３または請求項４に記載の酸素富化ジェットバス装置。
【請求項６】
吸音材と外周部内面との間に空隙部を設けた請求項２または請求項５に記載の酸素富化ジェットバス装置。
【発明の詳細な説明】
【技術分野】
【０００１】
本発明は、浴槽の湯を加熱し循環させる回路に、高濃度の酸素を混入し浴槽内の浴槽湯へ放出する酸素富化ジェットバス装置に関するものである。
【背景技術】
【０００２】
従来の酸素富化装置は、ジェットバスの浴槽湯循環回路の浴槽水に高濃度の酸素を供給するものがある（例えば特許文献１参照）。図９は、特許文献１に記載された従来の酸素富化ジェットバス装置を示すものである。図９に示すように、浴槽１の湯水を循環させるポンプ２と管路３に気体を供給する供給部４を設け、供給部４に酸素富化空気を供給する酸素富化装置５を設け、浴槽１には吸入口６と吹き出しノズル７を設けて構成される。通常ジェットバス装置は浴室８内の浴槽１近傍へ設置される。
【特許文献１】特開平４−２３４７号公報
【発明の開示】
【発明が解決しようとする課題】
【０００３】
しかしながら上記特許文献１の従来の酸素供給装置では、ジェットバスと酸素富化装置を浴室８内に設置し、浴槽湯を循環させる回路へ高濃度の酸素を供給する構成であるため、酸素富化された空気は浴槽１内へ気泡として噴出されるが、酸素富化装置内では窒素富化された空気が増えるため浴室８内の全体の酸素濃度は変化しない。また、酸素富化装置を駆動する際の運転騒音が管路３を通して伝搬し、浴室内でうるさいという課題を有していた。
【０００４】
本発明は前記従来の課題を解決するもので、浴室内に設けたジェットバス装置とは別に浴室外に酸素富化装置を設け、高濃度の酸素を消音した後、吹き出しノズルより噴出させる構成とすることで、酸素富化装置の静かな運転音と浴室内全体の酸素富化を同時に実現できる酸素富化ジェットバス装置を提供することを目的とする。
【課題を解決するための手段】
【０００５】
前記従来の課題を解決するために、本発明の酸素富化ジェットバス装置は、ジェットバス装置のポンプにより浴槽の湯が循環する循環回路と、浴槽に設けた吹き出しノズルと、浴室外部に設けた高濃度の酸素を供給する酸素富化装置と、酸素富化装置と吹き出しノズルとの間に設けた消音装置と酸素配管と、高濃度の酸素を吹き出しノズル内部の循環回路から浴槽内へ噴出させる構成としたものである。
【０００６】
これによって、浴室外部に設けた酸素富化装置で高濃度にした酸素が生成され、生成された高濃度の酸素は消音装置により酸素富化装置の運転騒音を消音し、酸素配管を通過して吹き出しノズルの循環回路からより浴槽内へ噴出させる。
【発明の効果】
【０００７】
本発明の酸素富化ジェットバス装置は、静かでリラックスする事の可能な酸素気泡入浴を楽しむことができる。
【発明を実施するための最良の形態】
【０００８】
第１の発明は、ジェットバス装置のポンプにより浴槽の湯が循環する循環回路と、浴槽に設けた吹き出しノズルと、浴室外から高濃度の酸素を供給する酸素富化装置と、酸素富化装置と吹き出しノズルとの間に設けた消音装置と酸素配管と、高濃度の酸素を吹き出しノズル内部の循環回路から浴槽内へ噴出させる構成とすることにより、酸素富化装置で生成された酸素富化空気を消音器で消音することができる。
【０００９】
第２の発明は、特に、第１の発明の酸素富化装置内に設けた消音装置に吸音材を充填することにより、吸音効果を利用し、酸素富化装置の運転騒音を消音することができる。
【００１０】
第３の発明は、特に、第１の発明の酸素富化装置内に設けた消音装置を共鳴箱とすることにより、ヘルムホルツ共鳴を利用し、酸素富化装置の運転騒音を消音することができる。
【００１１】
第４の発明は、特に、第３の発明の酸素富化装置内に設けた消音装置の共鳴箱が酸素配管の分岐部から分岐させることにより、ヘルムホルツ共鳴を利用し、酸素富化装置の運転騒音を消音することができる。
【００１２】
第５の発明は、特に、第３の発明と第４の発明の酸素富化装置内に設けた消音装置の共鳴箱の外周部内面に吸音材を設けたことにより、ヘルムホルツ共鳴と吸音効果を利用し、酸素富化装置の運転騒音を消音することができる。
【００１３】
第６の発明は、特に、第２の発明と第５の発明の酸素富化装置内に設けた消音装置の吸音材と外周部内面との間に空隙部を設けることにより、ヘルムホルツ共鳴と吸音効果と干渉効果を利用し、酸素富化装置の運転騒音を消音することができる。
【００１４】
以下、本発明の実施の形態について、図面を参照しながら説明する。なお、この実施例の形態によって本発明が限定されるものではない。
【００１５】
（実施の形態１）
図１は本発明実施例１の酸素富化ジェットバス装置のシステム全体構成図であり、図２は酸素富化装置の構成図である。
【００１６】
ジェットバス装置１０は、浴室１１内の浴槽１２のエプロン１３下部に設けられており、循環回路１４に設けられたポンプ１５により浴槽１２内のお湯を循環し、吹き出しノズル１６から浴槽１２に気泡１７を噴出する。ジェットバス装置１０運転したときに浴室１１の空気を通気管１８からエゼクタ１９で混入する。高濃度酸素空気は通気管１８から混入する。浴室１１の天井上部２０に設けた酸素富化装置２１は酸素富化膜２２と、送風ファン２３と、真空ポンプ２４と、逆止弁２６と、空気切り替弁２７で構成され、浴室外の空気から高濃度にした酸素富化空気は消音装置２８と逆止弁２９と酸素配管３０を通過してエゼクタ１９の循環回路１４へ混入し、浴槽１２に噴出する。
【００１７】
以上のように構成された酸素富化ジェットバス装置について、以下その動作・作用を説明する。真空ポンプ２４で減圧されることで浴室１１外の空気が酸素富化膜２２を通過し、高濃度の酸素（約３０％）となり、消音装置２８へ流入する。消音装置２８では内部にグラスウール等の吸音材３１が充填されており、真空ポンプ２４から発生するポンプの脈動音を吸音する。吸音して静かになった高濃度の酸素空気は酸素配管３０を通過した後、エゼクタ１９内部の循環回路１４に混入され、吹き出しノズル１６から循環された浴槽湯と共に浴槽１２へ噴出する。高濃度の酸素は気泡１７となって浴槽湯の中を通過し、その後浴室３１内に拡散する。酸素富化装置２１を運転しない時に追い焚き運転すると浴槽湯が酸素富化装置２１へ逆流する場合があるが、逆止弁２９が逆流を防止し、酸素富化装置２１を保護する。
【００１８】
この結果、入浴者は浴室１１内の空気から得られた高濃度の酸素を吸いながら入浴することが可能で、入浴と高濃度酸素吸入と静かな気泡入浴によるリラクゼーションの相乗効果を発揮できる。さらに、全身入浴となる水圧により胸部を多少圧迫した入浴状態であっても、高濃度酸素を吸入できることで酸素不足に陥りにくい為、長湯が可能で温浴効果を促進できる。また、酸素吸入による覚醒作用を発揮できる。
【００１９】
一般の家庭へ容易に設置できるとともに、高濃度の酸素を供給することによる浴槽湯の温度低下を、追い焚き運転により加熱できる。
【００２０】
ここで消音装置２８内部に設けた吸音材３１をグラスウール等としたが、金属繊維等の細い繊維質のものや、多孔体セラミック等の多孔質材料の物質、細かな粒子状物質を吸音材として使用しても同様の効果を発揮する。
【００２１】
なお、浴槽湯の加熱源としては、ガス、石油などによるバーナ燃焼によるものの他、電気ヒータによる電気給湯器、ＣＯ２冷媒などを用いたヒートポンプによるヒートポンプ給湯器などがある。
【００２２】
（実施の形態２）
実施の形態２は実施の形態１と異なる点を中心に説明する。図３は、本発明の第２の実施の形態の消音装置の構成図である。図３において、実施の形態１の構成と異なるところは、消音装置２８に共鳴箱３３を採用したものである。このように真空ポンプ２４から発生した脈動音は共鳴箱３３に流入し、共鳴箱３３内部で発生するヘルムホルツ共鳴により音響減衰し静音化した高濃度酸素の空気が酸素配管３０を通過した後、エゼクタ１９内部の循環回路１４に混入され、吹き出しノズル１６から循環された浴槽湯と共に浴槽１２へ噴出する。ヘルムホルツ共鳴による消音は特定周波数の音源に対応する大きさの共鳴箱を設計することで真空ポンプ２４のような脈動音を効果的に減衰できる。高濃度の酸素は気泡１７となって浴槽湯の中を通過し、その後浴室３１内に拡散する。酸素富化装置２１を運転しない時に追い焚き運転すると浴槽湯が酸素富化装置２１へ逆流する場合があるが、逆止弁２９が逆流を防止し、酸素富化装置２１を保護する。
【００２３】
この結果、入浴者は浴室１１外の空気から得られた高濃度の酸素を吸いながら入浴することが可能で、入浴と高濃度酸素吸入と静かな気泡入浴によるリラクゼーションの相乗効果を発揮できる。さらに、全身入浴となる水圧により胸部を多少圧迫した入浴状態であっても、高濃度酸素を吸入できることで酸素不足に陥りにくい為、長湯が可能で温浴効果を促進できる。また、酸素吸入による覚醒作用を発揮できる。
【００２４】
（実施の形態３）
実施の形態３は実施の形態１と異なる点を中心に説明する。図４は、本発明の第３の実施の形態の消音装置の構成図である。図４において、実施の形態１の構成と異なるところは、消音装置である共鳴箱３３を酸素配管３０の分岐部３４から分岐した箇所に設けたものである。このように真空ポンプ２４から発生した脈動音は酸素配管３０を通過し、分岐部３４において分岐した共鳴箱３３内部で発生するヘルムホルツ共鳴により音響減衰し静音化した高濃度酸素の空気が酸素配管３０を通過した後、エゼクタ１９内部の循環回路１４に混入され、吹き出しノズル１９から循環された浴槽湯と共に浴槽１２へ噴出する。分岐部３４を設けたヘルムホルツ共鳴による消音は特定周波数の音源に対応する大きさの共鳴箱３３を設計することで真空ポンプ２４のような脈動音を効果的に減衰できる。高濃度の酸素は気泡１７となって浴槽湯の中を通過し、その後浴室１１内に拡散する。酸素富化装置２１を運転しない時に追い焚き運転すると浴槽湯が酸素富化装置２１へ逆流する場合があるが、逆止弁２９が逆流を防止し、酸素富化装置２１を保護する。
【００２５】
この結果、入浴者は浴室１１外の空気から得られた高濃度の酸素を吸いながら入浴することが可能で、入浴と高濃度酸素吸入と静かな気泡入浴によるリラクゼーションの相乗効果を発揮できる。さらに、全身入浴となる水圧により胸部を多少圧迫した入浴状態であっても、高濃度酸素を吸入できることで酸素不足に陥りにくい為、長湯が可能で温浴効果を促進できる。また、酸素吸入による覚醒作用を発揮できる。
【００２６】
（実施の形態４）
実施の形態４は実施の形態２及び実施の形態３と異なる点を中心に説明する。図５と図６は、本発明の第４の実施の形態の消音装置の構成図である。図５と図６において、実施の形態２及び実施の形態３の構成と異なるところは、消音装置である共鳴箱３３の外周部内面３５に吸音材３１を採用したものである。このように真空ポンプ２４から発生した脈動音は共鳴箱３３に流入し、共鳴箱３３内部で発生するヘルムホルツ共鳴と吸音作用により音響減衰し静音化した高濃度酸素の空気が酸素配管３０を通過した後、エゼクタ１９内部の循環回路１４に混入され、吹き出しノズル１９から循環された浴槽湯と共に浴槽１２へ噴出する。このようにヘルムホルツ共鳴による消音は特定周波数の音源に対応する大きさの共鳴箱３３を設計することで真空ポンプ２４のような脈動音を効果的に減衰できるとともに、吸音材によるその他の周波数の騒音も吸音できる。高濃度の酸素は気泡１７となって浴槽湯の中を通過し、その後浴室１１内に拡散する。酸素富化装置２１を運転しない時に追い焚き運転すると浴槽湯が酸素富化装置２１へ逆流する場合があるが、逆止弁２６が逆流を防止し、酸素富化装置２１を保護する。
【００２７】
この結果、入浴者は浴室１１外の空気から得られた高濃度の酸素を吸いながら入浴することが可能で、入浴と高濃度酸素吸入と静かな気泡入浴によるリラクゼーションの相乗効果を発揮できる。さらに、全身入浴となる水圧により胸部を多少圧迫した入浴状態であっても、高濃度酸素を吸入できることで酸素不足に陥りにくい為、長湯が可能で温浴効果を促進できる。また、酸素吸入による覚醒作用を発揮できる。
【００２８】
ここで消音装置２８内部に設けた吸音材３１をグラスウール等としたが、金属繊維等の細い繊維質のものや、多孔体セラミック等の多孔質材料の物質、細かな粒子状物質を吸音材として使用しても同様の効果を発揮する。
【００２９】
（実施の形態５）
実施の形態５は実施の形態１及び実施の形態４と異なる点を中心に説明する。図７と図８は、本発明の第５の実施の形態の消音装置の構成図である。図７と図８において、実施の形態１及び実施の形態４の構成と異なるところは、消音装置２８である共鳴箱３３の外周部内面３５と吸音材３１の間に空隙部３６を設けたものである。このように真空ポンプ２４から発生した脈動音は共鳴箱３３に流入し、共鳴箱３３内部で発生するヘルムホルツ共鳴と吸音材３１の吸音作用と、吸音材３１を透過した脈動音が外周部内壁３５と吸音材３１の間で反射減衰する作用により音響減衰し静音化した高濃度酸素の空気が酸素配管３０を通過した後、エゼクタ１９内部の循環回路１２に混入され、吹き出しノズル１６から循環された浴槽湯と共に浴槽１２へ噴出する。高濃度の酸素は気泡１７となって浴槽湯の中を通過し、その後浴室１１内に拡散する。酸素富化装置２１を運転しない時に追い焚き運転すると浴槽湯が酸素富化装置２１へ逆流する場合があるが、逆止弁２９が逆流を防止し、酸素富化装置２１を保護する。
【００３０】
この結果、入浴者は浴室１１外の空気から得られた高濃度の酸素を吸いながら入浴することが可能で、入浴と高濃度酸素吸入と静かな気泡入浴によるリラクゼーションの相乗効果を発揮できる。さらに、全身入浴となる水圧により胸部を多少圧迫した入浴状態であっても、高濃度酸素を吸入できることで酸素不足に陥りにくい為、長湯が可能で温浴効果を促進できる。また、酸素吸入による覚醒作用を発揮できる。
【００３１】
ここで消音装置２８内部に設けた吸音材３１をグラスウール等としたが、金属繊維等の細い繊維質のものや、多孔体セラミック等の多孔質材料の物質、細かな粒子状物質を吸音材として使用しても同様の効果を発揮する。
【産業上の利用可能性】
【００３２】
以上のように、本発明にかかる酸素富化ジェットバス装置は静かな酸素気泡入浴が可能となるので、ジェットバス等の他の気泡入浴で酸素富化空気を供給する等の用途にも適用できる。
【図面の簡単な説明】
【００３３】
【図１】本発明の実施の形態１における酸素富化ジェットバス装置の全体構成図
【図２】同、酸素富化ジェットバス装置の消音装置の構成図
【図３】本発明の実施の形態２における酸素富化ジェットバス装置の消音装置の構成図
【図４】本発明の実施の形態３における酸素富化ジェットバス装置の消音装置の構成図
【図５】本発明の実施の形態４における酸素富化ジェットバス装置の消音装置の構成図
【図６】同、酸素富化ジェットバス装置の消音装置の他の構成を示す図
【図７】本発明の実施の形態５における酸素富化ジェットバス装置の消音装置の構成図
【図８】同、酸素富化ジェットバス装置の消音装置の他の構成を示す図
【図９】従来の酸素富化ジェットバス装置の全体構成図
【符号の説明】
【００３４】
１０  ジェットバス装置
１２  浴槽
１４  循環回路
１５  ポンプ
１６  吹き出しノズル
２１  酸素富化装置
２８  消音装置
３０  酸素配管
３１  吸音材
３３  共鳴箱
３４  分岐部
３６  空隙部
【図１】
2005143955.tif 000003
【図２】
2005143955.tif 000004
【図３】
2005143955.tif 000005
【図４】
2005143955.tif 000006
【図５】
2005143955.tif 000007
【図６】
2005143955.tif 000008
【図７】
2005143955.tif 000009
【図８】
2005143955.tif 000010
【図９】
2005143955.tif 000011